(57)【特許請求の範囲】
【請求項１】
地上階と、
膜材又はガラスパネルを有し、前記地上階の外周部に横幅方向及び面外方向にずれて設置され、外部から破壊侵入可能な複数の外装面材と、
を備え、
前記横幅方向に隣り合う前記外装面材の間、及び前記面外方向に隣り合う前記外装面材の間の少なくとも一方に、外部から侵入可能な開口部が形成される、
構造物。
【請求項２】
地上階と、
前記地上階の外壁から外側へ張り出す張出し部と、
膜材又はガラスパネルを有し、前記張出し部に前記外壁と対向して設置され、外部から破壊侵入可能な外装面材と、
を備え、
前記張出し部は、バルコニー、ベランダ、又はテラスとされる、
構造物。
【請求項３】
前記外装面材は、前記地上階に取り付けられ、前記膜材が張り渡される支持フレームを有する、
請求項１または請求項２に記載の構造物。
【請求項４】
前記膜材は、透光性を有し、
前記膜材の背面側には、該膜材を照らす照明器具が設置される、
請求項３に記載の構造物。
【発明の詳細な説明】
【技術分野】
【０００１】
本発明は、構造物に関する。
【背景技術】
【０００２】
構造物の外周部に設置される外装材としては、例えば、パンチングメタルや金属薄板が知られている（例えば、特許文献１，２参照）。
【先行技術文献】
【特許文献】
【０００３】
【特許文献１】特開２００８−０６３８８３号公報
【特許文献２】特開平８−１７７２２１号公報
【特許文献３】特開平９−３２８９２１号公報
【０００４】
ところで、構造物の地上階の外周部には、例えば、避難上または消火活動上有効な開口部（以下、「消防用開口部」という）が求められる。このような消防用開口部を確保することができない場合は、排煙設備等を設置する必要がある。
【０００５】
しかしながら、構造物の外装材として、上記のようなパンチングメタルやコンクリートパネル等を用いると、消防用開口部を確保することが難しく、排煙設備等の設置にコストがかかる可能性がある。
【発明の概要】
【発明が解決しようとする課題】
【０００６】
本発明は、上記の事実を考慮し、外装材を取り付けつつ、消防用開口部を確保することを目的とする。
【課題を解決するための手段】
【０００７】
第１態様に係る構造物は、地上階と、前記地上階の外周部に横幅方向及び面外方向にずれて設置され、外部から破壊侵入可能な複数の外装面材と、を備える。
【０００８】
第１態様に係る構造物によれば、地上階の外周部には、複数の外装面材が設置される。これにより、地上階の外観デザインの自由度を向上させることができる。
【０００９】
また、複数の外装面材は、外部から破壊侵入可能とされる。そのため、外装面材の設置領域を消防用開口部として見なし易くなる。
【００１０】
なお、ここでいう外部から破壊侵入可能な外装面材とは、外部より容易に破壊し侵入することができる外装面材を意味し、例えば、外部よりカッター等で容易に破断して侵入口を確保可能な膜材や、外部より容易に破壊して侵入口を確保可能なガラスパネル等が挙げられる。
【００１１】
さらに、複数の外装面材は、横幅方向及び面外方向にずれて配置される。これにより、面外方向に隣接する外装面材の間に段差部が形成される。この段差部も消防用開口部と見なすことができる。したがって、本発明では、複数の外装面材を面外方向にずらさずに直線上に並べる場合と比較して、消防用開口部を確保し易くなる。
【００１２】
第２態様に係る構造物は、地上階と、前記地上階の外壁から外側へ張り出す張出し部と、前記張出し部に前記外壁と対向して設置され、外部から破壊侵入可能な外装面材と、を備える。
【００１３】
第２態様に係る構造物によれば、地上階の外壁から外側へ張り出す張出し部には、外壁と対向する外装面材が設置される。これにより、地上階の外観デザインの自由度を向上させることができる。
【００１４】
また、外装面材は、外部から破壊侵入可能とされる。そのため、外装面材の設置領域を消防用開口部として見なし易くなる。したがって、例えば、外壁の開口面積が小さく、消防用開口部を確保することができない場合であっても、外装面材の設置領域において消防用開口部を確保することができる。
【００１５】
第３態様に係る構造物は、第１態様または第２態様に係る構造物において、前記外装面材は、前記地上階に取り付けられる支持フレームと、前記支持フレームに張り渡される膜材と、を有する。
【００１６】
第３態様に係る構造物によれば、外装面材は、地上階に取り付けられる支持フレームと、支持フレームに張り渡される膜材とを有している。このように膜材を用いることにより、外装面材の軽量化を図ることができる。
【００１７】
第４態様に係る構造物は、第３態様に係る構造物において、前記膜材は、透光性を有し、前記膜材の背面側には、該膜材を照らす照明器具が設置される。
【００１８】
第４態様に係る構造物によれば、膜材は透光性を有している。また、膜材の背面側には照明器具が設置される。この照明器具によって膜材を背面側から照らすことより、昼と夜の外観デザインを容易に変更することができる。
【発明の効果】
【００１９】
以上説明したように、本発明に係る構造物によれば、外装材を取り付けつつ、消防用開口部を確保することができる。
【図面の簡単な説明】
【００２０】
【図１】本発明の一実施形態に係る構造物における所定の地上階を示す平面図である。
【図２】図１に示される地上階を示す縦断面図である。
【図３】図２に示される外装面材を背面側から見た斜視図である。
【図４】図１の一部拡大平面図である。
【図５】本発明の一実施形態に係る構造物の変形例を示す図４に対応する一部拡大平面図である。
【図６】本発明の一実施形態に係る構造物の変形例を示す図２に対応する断面図である。
【発明を実施するための形態】
【００２１】
以下、図面を参照しながら本発明の一実施形態に係る構造物について説明する。
【００２２】
図１及び図２に示されるように、本実施形態に係る構造物１０は、例えば、複数の地上階１２を有する立体駐車場とされている。なお、図１及び図２には、複数の地上階１２のうち、所定の地上階１２の外周部１２Ａが示されている。
【００２３】
地上階１２の内部は、駐車場とされている。具体的には、地上階１２の内部の床スラブ１４上には、複数の駐車スペース１６が設けられている。各駐車スペース１６には、一対の車留め１８が設置されており、車両２０（図２参照）が駐車可能になっている。
【００２４】
図２に示されるように、地上階１２の外周部１２Ａには、外周架構３０が設けられている。外周架構３０は、地上階１２の外周部１２Ａに沿って配置されている。この外周架構３０は、鉄骨造とされており、一対の柱３２と、一対の柱３２に架設され、床スラブ１４を支持する梁３４とを有している。
【００２５】
本実施形態では、一例として、一対の柱３２は角形鋼管で形成され、梁３４はＨ形鋼で形成されている。また、一対の柱３２及び梁３４の周囲には、仕上げボードや耐火ボード等のボード部材３３，３５がそれぞれ設置されている。なお、外周架構３０は、鉄骨造に限らず、鉄筋コンクリート造や鉄骨鉄筋コンクリート造等であっても良い。
【００２６】
また、外周架構３０には、外壁３６が設けられている。外壁３６は、例えば、建築基準法上の外壁に該当するものとされている。この外壁３６は、鉄筋コンクリート造とされており、所定の耐火性能を有している。また、外壁３６は、垂れ壁３６Ａ及び腰壁３６Ｂを有している。腰壁３６Ｂは、床スラブ１４から立ち上げられている。この腰壁３６Ｂは、車両２０の落下防止用とされており、所定強度及び所定高さを有している。
【００２７】
また、垂れ壁３６Ａと腰壁３６Ｂとの間には、開口部３８が形成されている。開口部３８には、例えば、フェンス４０等が取り付けられる。なお、フェンス４０等は適宜省略可能である。
【００２８】
地上階１２は、張出し部としてのバルコニー４２を有している。バルコニー４２は、外壁３６から外側へ張り出している。このバルコニー４２によって、外部スペースが形成されている。
【００２９】
なお、本実施形態では、バルコニー４２が床スラブ１４と連続するように形成されているが、床スラブ１４との間には段差があっても良い。また、張出し部としては、バルコニー４２に限らず、ベランダやテラスであっても良い。
【００３０】
バルコニー４２の先端側には、外壁３６と対向する複数の外装面材５０が設置されている。これらの外装面材５０は、外部に面している。図３に示されるように、各外装面材５０は、支持フレーム５２と、膜材５８とを有している。
【００３１】
支持フレーム５２は、円筒状のパイプ材によって矩形枠状に形成されている。この支持フレーム５２は、上下方向に延びる左右一対の縦フレーム５２Ａと、横方向（横幅方向）に延びる上下一対の横フレーム５２Ｂとを有している。
【００３２】
下側の横フレーム５２Ｂには、ブラケット５４が溶接等によって取り付けられており、このブラケット５４を介して横フレーム５２Ｂがバルコニー４２の上面に固定されている。これと同様に、上側の横フレーム５２Ｂは、ブラケット５４を介して上階のバルコニー４２の下面（図１参照）に固定されている。なお、ブラケット５４は、アンカー等によってバルコニー４２に固定されている。
【００３３】
膜材５８は、支持フレーム５２を覆い隠すように、支持フレーム５２の表面側（外面側）に張り渡されている。また、膜材５８の外周部は、支持フレーム５２の表面側から背面側へ折り返されており、支持フレーム５２に適宜固定されている。
【００３４】
なお、本実施形態では、一例として、膜材５８の下端部は、下側の横フレーム５２Ｂに沿って設けられた取付バー５６にロープやクリップ等によって固定されている。膜材５８の他の端部もこれと同様である。また、左右一対の縦フレーム５２Ａ及び上側の横フレーム５２Ｂは、膜材５８とは別の膜カバー６０によって背面側から覆われている。この膜カバー６０によって、縦フレーム５２Ａ及び上側の横フレーム５２Ｂに設けられた取付バー等が隠されている。
【００３５】
ここで、外装面材５０の膜材５８は、消防法上の無窓階における消防用開口部としての基準を満たすように、カッター等により外部から容易に破断することができる材料で形成されている。この膜材５８は、例えば、建材として用いられる膜材のＡ種、Ｂ種、Ｃ種等で形成される。これにより、外装面材５０の設置領域、より詳細には支持フレーム５２の枠内を消防用開口部と見なすことができるようになっている。なお、支持フレーム５２の枠内には、消防用開口部の基準を満たすように、直径が所定値以上の円が内接可能になっている。
【００３６】
また、膜材５８は、透光性を有している。そして、図２に示されるように、外装面材５０の膜材５８の背面側（外壁３６側）には、照明器具６２が設置されている。照明器具６２は、バルコニー４２の上面に設置されている。この照明器具６２が作動されることにより、膜材５８が下側から照らされるようになっている。
【００３７】
さらに、膜材５８の表面（外面）には、例えば、酸化チタン等による光触媒が塗布されている。この光触媒の作用によって、膜材５８の表面が自浄されるようになっている。
【００３８】
以上のように構成された複数の外装面材５０は、図４に示されるように、横幅方向（矢印Ｗ方向）及び面外方向（矢印Ｔ方向）にずれて設置されている。これにより、面外方向（地上階１２の内外方向）に隣接する外装面材５０の間に段差部６４が形成されている。段差部６４には隙間６６が形成されており、この隙間６６から通風及び採光が可能になっている。
【００３９】
なお、図１に示されるように、要所において隣接する外装面材５０には、非常用侵入口６８が形成されている。
【００４０】
次に、本実施形態の作用について説明する。
【００４１】
本実施形態に係る構造物１０は、地上階１２を有している。地上階１２の外周部には、例えば、避難上または消火活動上有効な消防用開口部が求められる。そして、消防用開口部を確保することができない場合は、消防法上の無窓階として取り扱われ、排煙設備等の設置が義務付けられる。この場合、排煙設備等の設置にコストがかかる。
【００４２】
ここで、本実施形態では、外周架構３０に腰壁３６Ｂ及び垂れ壁３６Ａが設けられる。そのため、外壁３６において、消防法上の有窓階に必要となる消防用開口部（開口部３８）の開口面積を確保することが難しい。
【００４３】
特に、本実施形態の地上階１２は、内部が駐車場とされており、腰壁３６Ｂが車両２０の落下防止部材として機能する。そのため、腰壁３６Ｂを省略したり、腰壁３６Ｂの高さを低くしたりして開口部３８を広げることは難しい。
【００４４】
また、一般に、立体駐車場等の外周部には、外観デザインの観点から、外装材が取り付けられる。しかしながら、外装材として、従来のようなパンチングメタルや金属薄板を用いると、外壁の開口部が塞がれるため、外壁において消防用開口部を確保することがさらに困難となる。
【００４５】
この対策として本実施形態では、バルコニー４２の上に、外壁３６と対向する外装面材５０が設置されている。この外装面材５０は、色やレイアウトを容易に変更可能であるため、地上階１２の外観デザインの自由度を向上させることができる。
【００４６】
また、図４に示されるように、複数の外装面材５０は、横幅方向及び面外方向にずれて配列されている。これにより、面外方向に隣接する外装面材５０の間には、段差部６４及び隙間６６が形成されている。この段差部６４によって陰影や立体感（奥行き感）が生まれるため、地上階１２の外観のデザイン性が向上する。また、段差部６４の隙間６６から通風及び採光等が可能になるため、地上階１２の環境性能が向上する。
【００４７】
さらに、外装面材５０は、支持フレーム５２と、支持フレーム５２に張り渡される膜材５８とを有している。このように膜材５８を用いることにより、外装面材５０の軽量化を図ることができる。
【００４８】
また、支持フレーム５２は、膜材５８によって表面側から覆い隠されるため、地上階１２の外部からの見栄えが良くなる。さらに、左右一対の縦フレーム５２Ａ及び上側の横フレーム５２Ｂは、膜カバー６０によって背面側から覆い隠されるため、地上階１２の内部からの見栄えも良くなる。しかも、膜材５８の表面には、光触媒が塗布されている。この光触媒には自浄作用があるため、膜材５８のメンテナンス性が向上する。さらに、バルコニー４２に超速硬化ウレタン塗膜防水等を用いることにより、バルコニー４２の見栄えも良くすることができる。
【００４９】
さらにまた、膜材５８は、透光性している。したがって、バルコニー４２に設置された照明器具６２によって、外装面材５０を背面側から照らすことより、昼と夜の外観デザインを容易に変更することができる。
【００５０】
ここで、複数の外装面材５０は、外壁３６の外側に、外部に面して設置されている。そのため、消防法上の無窓階における消防用開口部の算定位置が、外壁３６の設置位置から外装面材５０の設置位置へ移動する。
【００５１】
また、外装面材５０の膜材５８は、外部から破壊侵入可能とされている。より具体的には、膜材５８は、外部からカッター等によって容易に破断可能とされている。これにより、例えば、図２に示されるように、火災に、はしご車７０のバスケット７２に乗った消防隊員７４等が外部から膜材５８を破断して外装面材５０に侵入口を形成することができる。このような場合、外部に面する外装面材５０（膜材５８）の設置領域を消防用開口部と見なすことができる。
【００５２】
したがって、例えば、外壁３６の開口部３８の開口面積が小さく、消防用開口部を確保することができない場合であっても、複数の外装面材５０の設置位置において有窓階に必要な開口面積を確保することができる。よって、地上階１２を有窓階とすることができるため、排煙設備等の設置コストを削減することができる。
【００５３】
このように本実施形態では、地上階１２の外周部１２Ａに外装面材５０を取り付けつつ、消防用開口部を確保することができる。
【００５４】
また、前述したように、複数の外装面材５０は、横幅方向及び面外方向にずれて配置される。これにより、面外方向に隣接する外装面材５０の間に段差部６４が形成されるため、外部に面する表面積が増加する。つまり、段差部６４部分も消防用開口部と見なすことができる。したがって、本実施形態では、複数の外装面材５０を面外方向にずらさずに、直線上に並べる場合と比較して、消防用開口部を確保し易くなる。
【００５５】
さらに、外装面材５０は、外壁３６から外側へ張り出すバルコニー４２に設置される。このバルコニー４２によって、外壁３６と外装面材５０との間に消防活動用の活動スペースが確保される。なお、バルコニー４２の幅（外壁３６と外装面材５０との間隔）は、例えば、６００ｍｍ以上であることが望ましい。
【００５６】
また、バルコニー４２によって、外装面材５０よりも外側に外装面材５０の破壊作業の作業スペースを確保することにより、外装面材５０を破壊し易くなる。したがって、外装面材５０の設置領域を消防用開口部と見なしつつ、外装面材５０の強度を高めることができる。換言すると、外装面材５０の選択自由度を向上させることができる。
【００５７】
次に、上記実施形態の変形例について説明する。
【００５８】
例えば、図５に示されるように、面外方向に隣接する外装面材５０の隙間６６には、外部から破壊侵入可能な膜材８０を張り渡しても良い。また、隙間６６には、膜材８０に限らず、一般的な外装材等を設置することも可能である。
【００５９】
また、上記実施形態では、隣接する外装面材５０を面外方向にずらした例を示したが、隣接する外装面材５０は、面外方向にずれていなくても良い。また、外装面材５０は、地上階１２の外周部に、少なくとも１つ設置することができる。
【００６０】
また、上記実施形態では、枠状の支持フレーム５２の略全面に亘って膜材５８を張り渡した例を示したが、支持フレーム５２には部分的に膜材を張り渡しても良い。また、上記実施形態では、左右一対の縦フレーム５２Ａと上下一対の横フレーム５２Ｂに膜材５８を張り渡した例を示したが、左右一対の縦フレーム５２Ａにのみ膜材５８を張り渡しても良いし、上下一対の横フレーム５２Ｂにのみ膜材５８を張り渡しても良い。さらに、上下のバルコニー４２にポール状に取り付けられる一対の縦フレーム（支持フレーム）間に膜材５８を張り渡しても良い。
【００６１】
また、外装面材５０の支持フレーム５２には、例えば、一対の縦フレーム５２Ａを連結する補強フレームや、ブレース状の補強フレーム等を適宜設けても良い。この場合、支持フレーム５２の枠内が補強フレームによって複数の領域に区画されることになるが、これらの領域のうち、直径が所定値以上の円が内接可能な領域を消防用開口部として見なすことができる。
【００６２】
また、上記実施形態では、上下のバルコニー４２に外装面材５０を取り付けた例を示したが、これに限らない。外装面材５０は、上下のバルコニー４２の少なくとも一方に取り付けることができる。また、外装面材５０の取付先は、バルコニー４２に限らず、例えば、アウトフレームの梁等であっても良い。
【００６３】
また、上記実施形態は、駐車場に限らず、種々の構造物の地上階に適用可能である。さらに、上記実施形態では、外壁３６の外側に外装面材５０を設置した例を示したが、これに限らない。例えば、図６に示されるように、外周架構３０に外装面材５０を設置しても良い。この場合も、外装面材５０の設置領域を消防用開口部と見なすことができる。
【００６４】
また、外装面材は、膜材５８に限らず、例えば、外部より容易に破壊して侵入口を確保可能なガラスパネル等であっても良い。
【００６５】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６６】
１０    構造物
１２    地上階
１２Ａ  外周部
３６    外壁
４２    バルコニー（張出し部）
５０    外装面材
５２Ａ  縦フレーム
５８    膜材
６２    照明器具
８０    膜材
矢印Ｗ  横幅方向
矢印Ｔ  面外方向
【図１】
0006468782.tif 000002
【図２】
0006468782.tif 000003
【図３】
0006468782.tif 000004
【図４】
0006468782.tif 000005
【図５】
0006468782.tif 000006
【図６】
0006468782.tif 000007